(57)【要約】【課題】上下に捕集部を構成したヘアーキャッチャーや、弁体と弁軸を備えたヘアーキャッチャーにおいて、清掃しやすいヘアーキャッチャーとすること【解決手段】槽体１及び槽体１に開口される排水口２と、排水口２に取り付けられる目皿部３と、目皿部３に構成される網目状のリブより構成されて排水中のゴミを捕集する捕集部４と、捕集部４と脱着自在に取り付け可能に構成される軸部５と、から構成されるヘアーキャッチャーにおいて、前記捕集部４が複数に分割されるように構成され、且つ分割時、捕集部４がくし状となること、また前記軸部５の先端にかき出し用ブラシ部１２を構成したこと、また保持手段６が解除された際に捕集部４が軸部５に対してスライド可能に係止されて構成する。【選択図】  図１
2006283435.tif 000002
【特許請求の範囲】
【請求項１】
槽体１及び槽体１に開口される排水口２と、
排水口２に取り付けられる目皿部３と、
目皿部３に構成される網目状のリブより構成されて排水中のゴミを捕集する捕集部４と、
から構成されるヘアーキャッチャーにおいて、
前記捕集部４が複数に分割されるように構成され、且つ分割時、捕集部４がくし状となることを特徴とするヘアーキャッチャー。
【請求項２】
上記記載のヘアーキャッチャーにおいて、
捕集部４同士を互いに交差させることを特徴とする請求項１記載のヘアーキャッチャー。
【請求項３】
槽体１及び槽体１に開口される排水口２と、
排水口２に取り付けられる目皿部３と、
目皿部３に構成される網目状のリブより構成されて排水中のゴミを捕集する捕集部４と、
捕集部４と脱着自在に構成される軸部５と、
から構成されるヘアーキャッチャーにおいて、
前記軸部５の先端にかき出し用ブラシ部１２を構成したことを特徴とするヘアーキャッチャー。
【請求項４】
槽体１及び槽体１に開口される排水口２と、
排水口２に取り付けられる目皿部３と、
目皿部３に構成される網目状のリブより構成されて排水中のゴミを捕集る捕集部４と、
捕集部４と脱着自在に構成され、且つ捕集部４を保持する保持手段６を備えた軸部５と、
から構成されるヘアーキャッチャーにおいて、
保持手段６が解除された際に捕集部４が軸部５に対してスライド可能に係止されていることを特徴とするヘアーキャッチャー。
【請求項５】
前記捕集部４に軸部５がスライドするスライド部７を構成し、
当該スライド部７と捕集部４を兼用させたことを特徴とする請求項４に記載のヘアーキャッチャー。
【発明の詳細な説明】
【技術分野】
【０００１】
本発明は、流し台や洗面台等の排水口に備えられる、排水中のゴミを捕集するヘアーキャッチャーに関するものである。
【背景技術】
【０００２】
従来より、図１３及び図１４に示したように、槽体としての流し台や洗面台などの排水口に備えられるヘアーキャッチャーがあった。
この従来のヘアーキャッチャーは、下記に記載する弁体、弁軸、目皿部から構成される。
弁体は、排水口の開閉を行う蓋であって、本従来例では弁体の外周に水密パッキンを構成する事で排水口と弁体の止水を行っている。なお、当該弁体には後記弁軸を着脱自在に取り付け可能にするため、係合部を構成する。
弁軸は、弁体の下方に垂設して構成される、上記弁体を排水口に配置させるための部材である。そして、前記弁体の係合部に着脱自在に取り付けることができる。
目皿部は、次に記載する捕集部、軸部から成る。
捕集部は、排水口からの排水のゴミを捕集する上捕集部と、洗面台などのオーバーフロー口から排出される排水のゴミを捕集する下捕集部から構成され、後記する軸部を介して上捕集部と下捕集部を一体的に構成して成る。なお、捕集部は、網目状のリブから構成して成る。
軸部は、前記捕集部の平面視中心部に一体的に取り付けられ、上捕集部と下捕集部を一体的に取り付ける。また、軸部の中心は空洞となっており、前記弁軸が挿通するように取り付けられる。
尚、本従来例は従来より公知の遠隔操作式排水栓装置を採用する。この遠隔操作式排水栓装置は、遠隔的に取り付けられた操作部を操作することで、排水口の弁体が開口/閉口させることができる装置である。この装置を採用することから、弁体には弁軸を構成させる必要性が高くなる。
【０００３】
この従来のヘアーキャッチャーは、以下のようにして排水が流れる。
流し台や洗面台から排水が発生すると、洗面台などの排水口から下水へ向かって排水が排出される。このとき、排水口に備えられたヘアーキャッチャーの捕集部を通過して排水は下水へと排水される。そして、排水が通過した捕集部は、排水中の排水ゴミが捕集されるのである。
【０００４】
この従来のヘアーキャッチャーは、以下のようにして捕集部上のゴミを取り除く。
排水口から弁体を取り外すと、弁軸に取り付けられた目皿部も取り外すことが出来る。そして、弁軸から弁体を取り外し、弁軸から目皿部を引き抜く。そして、捕集部上のごみを手でつかみ出したり、或いは歯ブラシなどで洗い落とすなどして捕集部上のゴミを取り外していた。
【０００５】
【特許文献１】特開平９−３１６９５７号公報（図１、図６）
【発明の開示】
【発明が解決しようとする課題】
【０００６】
このような従来のヘアーキャッチャーでは以下のような問題が発生していた。
１．排水中には排水ゴミが混入していることが多く、そのようなことから排水口には排水中の排水ゴミと排水を分離させるためにヘアーキャッチャーを配置させることが多い。
２．ところが、近年の流し台や洗面台には、槽体の溢れ防止のためにオーバーフローを配管する構成を採用する事が主流であることから、ヘアーキャッチャーの捕集部は排水口からの排水のゴミを除く上捕集部と、オーバーフローからの排水のゴミを除く下捕集部と構成する必要がある。しかしこのように構成したヘアーキャッチャーの場合、上捕集部と下捕集部の間隔が狭くなることから、その狭い間隔に人間の指が入らない場合があったりすることや、指が入らないなどの理由から歯ブラシなどの別部材をわざわざ用意して捕集部を清掃しなければならなかった。
３．また、近年は遠隔操作式排水栓装置が流行しているが、これは弁軸を備えた弁体を、排水口に配置しておく必要がある。弁体とヘアーキャッチャーを別々の部材として、排水口に適当に配置させると、遠隔操作式排水栓装置の動作に干渉して、弁体が排水口を正常に開閉できなくなる場合がある。このため、遠隔操作式排水栓装置に採用されるヘアーキャッチャーは、遠隔操作式排水栓装置の動作を妨害しないように、弁体の弁軸に取り付けることで、排水口の定位置に配置される構成を採用している。このように弁体の弁軸に取り付けられるヘアーキャッチャーは、弁体や弁軸が邪魔となり、清掃するのに非常に手間どっていた。
【０００７】
本願発明のヘアーキャッチャーは、上下に捕集部を構成したヘアーキャッチャーや、弁体と弁軸を備えたヘアーキャッチャーにおいて、清掃しやすいヘアーキャッチャーとすることを目的とする。
【課題を解決するための手段】
【０００８】
請求項１に記載のヘアーキャッチャーは、槽体１及び槽体１に開口される排水口２と、排水口２に取り付けられる目皿部３と、目皿部３に構成される網目状のリブより構成されて排水中のゴミを捕集する捕集部４と、捕集部４と脱着自在に取り付け可能に構成される軸部５と、から構成されるヘアーキャッチャーにおいて、前記捕集部４が複数に分割されるように構成され、且つ分割時、捕集部４がくし状となることを特徴とするヘアーキャッチャーである。
【０００９】
請求項２に記載のヘアーキャッチャーは、上記記載のヘアーキャッチャーにおいて、捕集部４同士を互いに交差させることを特徴とする前記段落０００８に記載のヘアーキャッチャーである。
【００１０】
請求項３に記載のヘアーキャッチャーは、槽体１及び槽体１に開口される排水口２と、排水口２に取り付けられる目皿部３と、目皿部３に構成される網目状のリブより構成されて排水中のゴミを捕集する捕集部４と、捕集部４と脱着自在に構成される軸部５と、から構成されるヘアーキャッチャーにおいて、前記軸部５の先端にかき出し用ブラシ部１２を構成したことを特徴とするヘアーキャッチャーである。
【００１１】
請求項４に記載のヘアーキャッチャーは、槽体１及び槽体１に開口される排水口２と、排水口２に取り付けられる目皿部３と、目皿部３に構成される網目状のリブより構成されて排水中のゴミを捕集る捕集部４と、捕集部４と脱着自在に構成され、且つ捕集部４を保持する保持手段６を備えた軸部５と、から構成されるヘアーキャッチャーにおいて、保持手段６が解除された際に捕集部４が軸部５に対してスライド可能に係止されていることを特徴とするヘアーキャッチャーである。
【００１２】
請求項５に記載のヘアーキャッチャーは、前記捕集部４に軸部５がスライドするスライド部７を構成し、当該スライド部７と捕集部４を兼用させたことを特徴とする前記段落００１１に記載のヘアーキャッチャーである。
【発明の効果】
【００１３】
本発明は上記のように構成したため、以下のような優れた効果を奏する。
１）請求項１に記載の本発明においては、前記捕集部４が複数に分割されて構成されたことから、簡単に弁軸９や弁体８から目皿部３を取り外すことが出来、更に分割によって目皿がくしとして使用でき、容易に清掃できるようになる。
２）請求項２に記載の本発明においては、分割時、捕集部４同士を互いに交差させることから、捕集部４上の排水ゴミを、捕集部４自身を交差させる事で排水ゴミをかきだす事ができる。従って、捕集部４上の清掃がとても容易となる。
３）請求項３に記載の本発明においては、軸部５の先端にかき出し用ブラシ部１２を構成したことから、捕集部４上の排水ゴミを、自身のブラシ部１２で清掃することができ、わざわざはブラシなどを用意する手間が無くなる。
４）請求項４に記載の本発明においては、保持手段６が解除された際に捕集部４が軸部５に対してスライド可能に係止することから、捕集部４上の排水ゴミを清掃する際、軸部５が邪魔となる事がないばかりか、軸部５を上下に振るだけで捕集部４がスライドするので、そのスライドの遠心力を利用して捕集部４上の排水ゴミを振り落とすことも出来る。
５）請求項５に記載の本発明においては、捕集部４に軸部５がスライドするスライド部７を構成し、スライド部７と捕集部４を兼用させたことから、スライド構成を複雑化する必要が無く、部材形状を簡単化することができる。
【実施例】
【００１４】
本発明の第１実施例を、図面を参照しつつ説明する。
本実施例は、図１乃至図３に示したように、槽体１としての流し台や洗面台などの排水口２に備えられるヘアーキャッチャーである。
本実施例のヘアーキャッチャーは、下記に記載する弁体８、軸部５、目皿部３から構成される。
弁体８は、排水口２の開閉を行う蓋であって、本従来例では弁体８の外周に水密パッキンを構成する事で排水口２と弁体８の止水を行っている。なお、当該弁体８には後記弁軸９を着脱不可に取り付ける。
軸部５は、弁体８の下方に垂設して構成される、上記弁体８を排水口２に配置させるための部材である。また、捕集部４を係止させるための係止リブを構成している。尚、当該係止リブは、Ｏリングなどの弾性部材から構成されてもよいし、合成樹脂材などの硬質部材から構成しても良い。本実施例では、弁軸９に一体的に合成樹脂により構成された凸リブから構成される。
目皿部３は、次に記載する捕集部４、軸部５から成る。（図１（ａ）、（ｂ）参照）
捕集部４は、排水口２からの排水のゴミを捕集する上捕集部４ａと、洗面台などのオーバーフロー口から排出される排水のゴミを捕集する下捕集部４ｂとで構成され、前記軸部５の係止部に、上捕集部４ａ、下捕集部４ｂともに係止して取り付けられる。又、捕集部４は、網目状のリブから構成して成る。そして、当該実施例では、図１（ｂ）に示したように、下捕集部４ｂが２分割と分割される構成となっており、その形態は、平面視くし状のリブで、合体時には網目状のリブを構成し、分割時にはくし形状となるリブとしている。また、下捕集部４ｂの合体手段として、図１（ｂ）に示したように、一方の分割された下捕集部４ｂに係合爪１０を構成し、他方の下捕集部４ｂに係合爪１０が係合する被係合部１１を構成する。当該係合は使用者によって簡単に取り外し可能とすることができる。また、上捕集部４ａについては、弁体８を排水口２内に支持する作用を備える。
尚、本実施例は従来より公知の遠隔操作式排水栓装置を採用する。この遠隔操作式排水栓装置は、遠隔的に取り付けられた操作部を操作することで、排水口２の弁体８が開口/閉口させることができる装置である。この装置を採用することから、弁体８には軸部５を構成させる必要性が高くなる。
【００１５】
本実施例のヘアーキャッチャーは、以下のようにして排水が流れる。
流し台や洗面台から排水が発生すると、洗面台などの排水口２から下水へ向かって排水が排出される。このとき、排水口２に備えられたヘアーキャッチャーの捕集部４を通過して排水は下水へと排水される。そして、排水が通過した捕集部４は、排水中の排水ゴミが捕集されるのである。
【００１６】
本実施例のヘアーキャッチャーは、以下のようにして捕集部４上のゴミを取り除く。
排水口２から弁体８を取り外すと、軸部５に取り付けられた捕集部４の係合爪１０と被係合部１１を取り外し、図１（ｂ）に示したように捕集部４を分割する。そうして図３に示したように軸部５から捕集部４を取りはずし、捕集部４のくし状のリブ同士を交差させて、くしを操作するように操作すると、分割された捕集部４両者の排水ゴミはそれぞれのくし状リブによりかきだして取り除くことが出来る。
そして、排水ゴミを取り除いた後は、軸部５の係止部に捕集部４を係止させつつ捕集部４の係合爪１０と被係合部１１を係合させて、軸部５と捕集部４の取り付けを終了させ、その後、弁体８を排水口２に配置させる。
【００１７】
次に、本発明の第２実施例を、図面を参照しつつ説明する。
本実施例は、図４乃至図６に示したように、槽体１としての流し台や洗面台などの排水口２に備えられるヘアーキャッチャーである。
本実施例のヘアーキャッチャーは、下記に記載する弁体８、軸部５、目皿部３から構成される。
弁体８は、排水口２の開閉を行う蓋であって、本実施例では弁体８の外周に水密パッキンを構成することで排水口２と弁体８の止水を行っている。なお、当該弁体８に軸部５を着脱不可に取り付けられる。
軸部５は、弁体８の下方に垂接して構成される、上記弁体８を排水口２に配置させるための部材である。また、弁体８と逆側の先端に、ブラシ部１２を構成してなる。
目皿部３は、次に記載する捕集部４及び収納筒５ａからなる。
捕集部４は、排水口２からの排水ゴミを捕集する部材であって、網目状のリブから構成される。
収納筒５ａは、目皿部３に一体的に構成され、図５に示すように軸部５を内部に収納する箇所を構成し、前記軸部５を支持する部材である。
このように構成したヘアーキャッチャーは、図４に示すように弁体８付きの軸部５先端を、収納筒５ａに挿入して、弁体８を支持することが出来る。また、軸部５を収納筒５ａから取り外すと、軸部５からブラシ部１２が露出し、そのまま捕集部４の清掃を行うことが出来る。
尚、本実施例は従来より公知の遠隔操作式排水栓装置を採用する。この遠隔操作式排水栓装置は、遠隔的に取り付けられた操作部を操作することで、排水口２の弁体８が開口/閉口させることができる装置である。この装置を採用することから、弁体８には軸部５を構成させる必要性が高くなる。
【００１８】
本実施例のヘアーキャッチャーは、以下のようにして排水が流れる。
流し台や洗面台から排水が発生すると、洗面台などの排水口２から下水へ向かって排水が排出される。このとき、排水口２に備えられたヘアーキャッチャーの捕集部４を通過して排水は下水へと排水される。そして、排水が通過した捕集部４は、排水中の排水ゴミが捕集されるのである。
【００１９】
本実施例のヘアーキャッチャーは、以下のようにして捕集部４上のゴミを取り除く。
排水口２から弁体８を取り外すと、収納筒５ａから軸部５を取り出し、軸部５先端にブラシ部１２を露出させる。そうして、軸部５から分離された捕集部４は、図６に示したように前記ブラシ部１２により捕集部４をかき出すようにして、捕集部４上の排水ゴミを清掃することが出来る。
そして、排水ゴミを取り除いた後は、軸部５のブラシ部１２を収納筒５ａ内に収納させ、その後排水口２にヘアーキャッチャーを配置させて終了する。
【００２０】
次に、本発明の第3実施例を、図面を参照しつつ説明する。
本実施例は、図７乃至図１２に示したように、槽体１としての流し台や洗面台などの排水口２に備えられるヘアーキャッチャーである。
本実施例のヘアーキャッチャーは、下記に記載する弁体８、軸部５、目皿部３から構成される。
弁体８は、排水口２の開閉を行う蓋であって、本実施例では弁体８の外周に水密パッキンを構成する事で排水口２と弁体８の止水を行っている。なお、当該弁体８には後記軸部５を着脱可能に取り付けられる。
軸部５は、収納筒５ａ及び収納筒５ａに上下動自在に挿入されるスイッチ部５ｂ、から構成される。また、収納筒５ａ内部にスイッチ部５ｂの上下動を保持する保持手段６を備えて成り、本実施例では、内部にスプリング１３を収納して構成される。そして、スイッチ部５ｂを下方に押動すると、スプリング１３が収縮し、スイッチ部５ｂが収納筒５ａの下方から飛び出す。そして、押動を解除すると、スプリング１３の圧縮が解除され、スプリング１３が弾発し、スイッチ部５ｂがもとの箇所まで戻ることが出来る。
目皿部３は、前記軸部５に取り付けられる、網目状のリブより構成されて排水中のゴミを捕集する捕集部４を構成する。
当該捕集部４は、図１２に示したように前記軸部５が取り付けられるための枠体からなるレールを構成し、前記軸部５にスライド可能に取り付けられる。尚、当該捕集部４は、通常は前記スイッチ部５ｂ先端と収納筒５ａ先端の間に、保持手段６のスプリング１３の弾発力により保持されている。
尚、本実施例は従来より公知の遠隔操作式排水栓装置を採用する。この遠隔操作式排水栓装置は、遠隔的に取り付けられた操作部を操作することで、排水口２の弁体８が開口/閉口させることができる装置である。この装置を採用することから、弁体８には軸部５を構成させる必要性が高くなる。
【００２１】
本実施例のヘアーキャッチャーは、以下のようにして排水が流れる。
流し台や洗面台から排水が発生すると、洗面台などの排水口２から下水へ向かって排水が排出される。このとき、排水口２に備えられたヘアーキャッチャーの捕集部４を通過して排水は下水へと排水される。そして、排水が通過した捕集部４は、排水中の排水ゴミが捕集されるのである。
【００２２】
本実施例のヘアーキャッチャーは、以下のようにして捕集部４上のゴミを取り除く。
排水口２から弁体弁体８を取り外すと、弁体８と軸部５を取り外し、図１０のように軸部５のスイッチ部５ｂを下方へ押動する。そうすると収納筒５ａ内のスプリング１３が収縮し、スイッチ部５ｂ先端が収納筒５ａの下方へ下降する。そのとき、捕集部４の保持が解除され、軸部５を中心としてスライド可能となる。このとき、図１１に示すように使用者が上下に振ることで、捕集部４自体がスライドしその遠心力により捕集部４上の排水ゴミが振り落とされる。また、捕集部４をスライドさせることで、捕集部４の面積が広くなって捕集部４の排水ゴミが清掃しやすくなる、といったメリットもある。
そして、排水ゴミを取り除いた後は、図９に示したように捕集部４の中心と軸部５の中心を合わせた適宜箇所でスイッチ部５ｂの押動を解除させることで、収納筒５ａ内のスプリング１３が弾発し、スイッチ部５ｂ及び収納筒５ａにより捕集部４は保持されることとなる。その後、弁体８を排水口２に配置させる。
【００２３】
また、本発明は上記実施例に限定されるものではなく、特許請求の範囲に記載の範囲において適宜変更は可能である。
たとえば、前記実施例では、遠隔操作式排水栓装置を用いているが、遠隔操作式排水栓装置を用いない、ゴム栓を用いた排水栓装置や、浴室の排水装置のように常時開放されている排水装置に採用してもよい。
また、このように遠隔操作式排水栓装置に用いない場合、請求項1に対応する上記第一実施例の発明であれば、軸部を省略して構成してもかまわない。
【図面の簡単な説明】
【００２４】
【図１】（ａ）本発明の第１実施例を示す、捕集部の上面図である。（ｂ）本発明の第１実施例を示す、捕集部の分解時の平面図である。
【図２】本発明の第１実施例のヘアーキャッチャーを、槽体の排水口に取り付け時の断面図である。
【図３】本発明の第１実施例の、捕集部を交差させて捕集部上の排水ゴミをかき出し時を示す斜視図である。
【図４】本発明の第２実施例を示す、ヘアーキャッチャーの斜視図である。
【図５】本発明の第２実施例を示す、ヘアーキャッチャーの分解斜視図である。
【図６】本発明の第２実施例を示す、ブラシ部を捕集部に交差させて捕集部上の排水ゴミをかき出し時を示す斜視図である。
【図７】本発明の第３実施例を示す、ヘアーキャッチャーを示す斜視図である。
【図８】本発明の第３実施例を示す、ヘアーキャッチャーを示す斜視図である。
【図９】本発明の第３実施例を示す、ヘアーキャッチャーの通常使用時の断面図である。
【図１０】本発明の第３実施例を示す、ヘアーキャッチャーの清掃時の断面図である。
【図１１】本発明の第３実施例を示す、ヘアーキャッチャーの清掃時の斜視図である。
【図１２】本発明の第３実施例を示す、ヘアーキャッチャーの図である。
【図１３】従来例を示す断面図である。
【図１４】従来例を示す分解断面図である。
【符号の説明】
【００２５】
１    槽体
２    排水口
３    目皿部
４    捕集部
４ａ  上捕集部
４ｂ  下捕集部
５    軸部
５ａ  収納筒
５ｂ  スイッチ部
６    保持手段
７    スライド部
８    弁体
９    弁軸
１０  係合爪
１１  被係合部
１２  ブラシ部
１３  スプリング
【図１】
2006283435.tif 000003
【図２】
2006283435.tif 000004
【図３】
2006283435.tif 000005
【図４】
2006283435.tif 000006
【図５】
2006283435.tif 000007
【図６】
2006283435.tif 000008
【図７】
2006283435.tif 000009
【図８】
2006283435.tif 000010
【図９】
2006283435.tif 000011
【図１０】
2006283435.tif 000012
【図１１】
2006283435.tif 000013
【図１２】
2006283435.tif 000014
【図１３】
2006283435.tif 000015
【図１４】
2006283435.tif 000016